(57)【要約】【課題】消費者により入力されたキーワードの中から、消費者の関心の強さに基づいてキーワードを抽出するキーワード抽出システムを提供する。【解決手段】消費者が、消費者システム８ａ、８ｂ、８ｃを用いて入力したキーワード及びそのキーワードの入力回数（キーワードデータ）をＷｅｂサーバ６に記憶する。キーワード抽出システムにおいては、Ｗｅｂサーバ６に記憶されているキーワードデータを通信制御部２４を介して所定期間毎に取得し、キーワードデータ記憶部２２に記憶する。次に、最新の所定期間のキーワードの入力回数と過去の所定期間のキーワードの入力回数における最低値との差分を算出し、差分の値が大きい順に（消費者の関心が強い順に）キーワードを抽出する。そして、抽出されたキーワードを差分の値が大きい順に表示部２６に表示する。【選択図】  図１
2004185220.tif 000002
【特許請求の範囲】
【請求項１】
入力された各キーワード及び所定期間毎における前記各キーワードの入力回数を記憶するキーワードデータ記憶手段と、
前記キーワードデータ記憶手段に記憶されている前記各キーワードの最新の所定期間の入力回数と過去の所定期間における入力回数の最低値との差分を算出する差分算出手段と、
前記キーワードデータ記憶手段に記憶されている前記キーワードの中から、前記差分算出手段により算出された前記差分が大きい順に前記キーワードを抽出するキーワード抽出手段と、
前記キーワード抽出手段により抽出されたキーワードを出力する出力手段と
を備えることを特徴とするキーワード抽出システム。
【請求項２】
入力された各キーワード及び所定期間毎における前記各キーワードの入力回数を記憶するキーワードデータ記憶手段と、
前記キーワードデータ記憶手段に記憶されている前記各キーワードの最新の所定期間の入力回数と過去の所定期間における入力回数の最低値との差分を算出する差分算出手段と、
前記キーワードデータ記憶手段に記憶されている前記キーワードの中から、前記差分算出手段により算出された前記差分が大きい順に前記キーワードを抽出するキーワード抽出手段と、
前記キーワード抽出手段により抽出されたキーワードを記憶する抽出キーワード記憶手段と、
前記キーワード抽出手段により抽出されたキーワードと前記抽出キーワード記憶手段に記憶されている過去の同一の所定期間に抽出されたキーワードとを比較するキーワード比較手段と、
前記キーワード比較手段による比較結果を出力する比較結果出力手段と
を備えることを特徴とするキーワード抽出システム。
【請求項３】
前記キーワード比較手段は、
前記キーワード抽出手段により抽出されたキーワードと前記抽出キーワード記憶手段に記憶されている２以上の年における同一の所定期間或いは近しい所定期間に抽出されたキーワードとを比較することを特徴とする請求項２記載のキーワード抽出システム。
【請求項４】
前記比較結果出力手段は、
前記キーワード抽出手段により抽出されたキーワードの各々を、季節性のキーワードであるか否かを識別可能に出力することを特徴とする請求項２又は請求項３記載のキーワード抽出システム。
【請求項５】
前記キーワードデータは、消費者によって電子的手段を介してサーバに入力され該サーバに記憶されているデータであって、
前記サーバから、前記所定期間毎に前記キーワードデータを取得するキーワードデータ取得手段を更に備えることを特徴とする請求項１〜請求項４の何れか一項に記載のキーワード抽出システム。
【発明の詳細な説明】
【０００１】
【発明の属する技術分野】
この発明は、消費者によりネットワーク上の検索エンジンサイト等に入力されたキーワードの中から所定のキーワードを抽出するキーワード抽出システムに関するものである。
【０００２】
【従来の技術】
近年、情報通信機器の普及により、消費者はインターネット等のネットワークを利用して商品やサービス等についてのデータを入手する場合が多い。例えば、インターネットの検索エンジンサイトにおいて商品名等を入力することによって、その商品等に関する詳細なデータを入手している。
【０００３】
このように、消費者はインターネットを利用して商品等の詳細なデータを入手しているため、日々大量に検索用のキーワードが検索エンジンサイトに入力されている。この消費者により入力された検索用のキーワード及びそのキーワードの入力回数のデータは、消費者の関心や潜在的な顧客ニーズ等が反映されている貴重なデータである。従って、このようなデータを分析することにより、現在、消費者の間で話題になっている商品や消費者が注目している商品等に関する情報を得ることができる。そして、この消費者の関心等を示す情報を得ることができれば、いわゆる売れ筋商品の早期発見や、売れ筋商品の仕入れ時期や仕入れ量の決定、新商品開発の見極め等に利用することができる。
【０００４】
なお、この出願の出願人は、消費者により入力されたキーワードの入力回数の変動に基づいて、そのキーワードが消費者の関心を集めているキーワード又は消費者の関心が薄れたキーワードであるかを分析し、マーケティング支援のための情報を得るキーワード分析システムについて出願を行っている（特願２００１−３９９５６６号）。
【０００５】
【発明が解決しようとする課題】
ところで、消費者の関心を集めているキーワードか否か又は消費者の関心が薄れたキーワードか否かの分析を行った場合、消費者がどのような商品等に関心を集めているか等に関する情報を得ることができる。しかし、例えば、複数のキーワードが消費者の関心を集めているキーワードと分析された場合、その中でどのキーワードが消費者のより強い関心を集めているのかを特定等することは困難である。
【０００６】
この発明の課題は、消費者により入力されたキーワードの中から、消費者の関心の強さに基づいてキーワードを抽出するキーワード抽出システムを提供することである。
【０００７】
【課題を解決するための手段】
請求項１記載のキーワード抽出システムは、入力された各キーワード及び所定期間毎における前記各キーワードの入力回数を記憶するキーワードデータ記憶手段と、前記キーワードデータ記憶手段に記憶されている前記各キーワードの最新の所定期間の入力回数と過去の所定期間における入力回数の最低値との差分を算出する差分算出手段と、前記キーワードデータ記憶手段に記憶されている前記キーワードの中から、前記差分算出手段により算出された前記差分が大きい順に前記キーワードを抽出するキーワード抽出手段と、前記キーワード抽出手段により抽出されたキーワードを出力する出力手段とを備えることを特徴とする。
【０００８】
この請求項１記載のキーワード抽出システムによれば、キーワードの最新の所定期間（例えば、１週間）の入力回数と過去の所定期間における入力回数の最低値との差分を算出し、取得されたキーワードの中から差分の値が大きい順にキーワードを抽出し、抽出されたキーワードを出力している。従って、最新の所定期間において消費者が強い関心を示したキーワードを抽出し、消費者の関心が強まっているキーワードから順に表示している。そのため、最新の所定期間において消費者がどのようなキーワードにより強い関心を抱いているかを知ることができ、マーケティング支援のための有用な情報を得ることができる。
【０００９】
また、請求項２記載のキーワード抽出システムは、入力された各キーワード及び所定期間毎における前記各キーワードの入力回数を記憶するキーワードデータ記憶手段と、前記キーワードデータ記憶手段に記憶されている前記各キーワードの最新の所定期間の入力回数と過去の所定期間における入力回数の最低値との差分を算出する差分算出手段と、前記キーワードデータ記憶手段に記憶されている前記キーワードの中から、前記差分算出手段により算出された前記差分が大きい順に前記キーワードを抽出するキーワード抽出手段と、前記キーワード抽出手段により抽出されたキーワードを記憶する抽出キーワード記憶手段と、前記キーワード抽出手段により抽出されたキーワードと前記抽出キーワード記憶手段に記憶されている過去の同一の所定期間に抽出されたキーワードとを比較するキーワード比較手段と、前記キーワード比較手段による比較結果を出力する比較結果出力手段とを備えることを特徴とする。
【００１０】
この請求項２記載のキーワード抽出システムによれば、最新の所定期間（例えば、１週間）において抽出されたキーワードと過去の所定期間（例えば、１年前の同一の週）において抽出されたキーワードとを比較し、比較結果を出力している。従って、新たに抽出されたキーワードが季節性の高いキーワードか否か、新たな流行を示すキーワードであるか否かを容易に判断することができる、そのため、比較結果をマーケティング支援のための有用な情報として利用することができる。
【００１１】
また、請求項３記載のキーワード抽出システムは、前記キーワード比較手段が、前記キーワード抽出手段により抽出されたキーワードと前記抽出キーワード記憶手段に記憶されている２以上の年における同一の所定期間或いは近しい所定期間に抽出されたキーワードとを比較することを特徴とする。
【００１２】
この請求項３記載のキーワード抽出システムによれば、例えば、最新の１週間において抽出されたキーワードと２以上の年における同一の週、或いは近しい週において抽出されたキーワードとを比較して比較結果を出力している。例えば、最新の１週間において抽出されたキーワードと、昨年、一昨年における同一の週、或いは近しい週において抽出されたキーワードとを比較して比較結果を抽出している。従って、新たに抽出されたキーワードが季節性又は話題性等、どのような要因により消費者の関心が強まっているキーワードとして抽出されたのかをより一層的確に判断し、有用なマーケティング情報として比較結果を利用することができる。
【００１３】
また、請求項４記載のキーワード抽出システムは、前記比較結果出力手段が、前記キーワード抽出手段により抽出されたキーワードの各々を季節性のキーワードであるか否かを識別可能に出力することを特徴とする。
【００１４】
この請求項４記載のキーワード抽出システムによれば、抽出されたキーワードが、季節変動により消費者の関心を集めているのか否かを識別容易に識別し、比較結果を有用なマーケティング情報として利用することができる。
【００１５】
また、請求項５記載のキーワードデータ抽出システムは、前記キーワードデータが、消費者によって電子的手段を介してサーバに入力され該サーバに記憶されているデータであって、前記サーバから、前記所定期間毎に前記キーワードデータを取得するキーワードデータ取得手段を更に備えることを特徴とする。
【００１６】
この請求項５記載のキーワード抽出システムによれば、所定期間毎に、消費者によってサーバに入力されたキーワード及びキーワードの入力回数を取得して差分の値が大きい順にキーワードを抽出している。従って、消費者の関心やニーズ等を的確に反映した多量のキーワードデータの中から消費者の関心が高まっているキーワードから順に、的確にキーワードを抽出することができる。
【００１７】
【発明の実施の形態】
以下、図面を参照して、実施の形態に係るキーワード抽出システムについて説明する。なお、以下においては、インターネット上に開設されている検索エンジンサイトにおいて、消費者により入力された検索用のキーワード及びそのキーワードの入力回数をキーワードデータとする場合を例として説明する。
【００１８】
図１は、第１の実施の形態に係るキーワード抽出システムを含むシステム全体のブロック構成図である。キーワード抽出システム２は、ネットワーク４を介してネットワーク上に検索エンジンサイトを開設している企業のＷｅｂサーバ６と接続されており、Ｗｅｂサーバ６は、ネットワーク４を介して個々の消費者が有する消費者システム（パーソナルコンピュータ、携帯端末、携帯電話等のネットワーク上の検索エンジンサイトにアクセス可能な端末）８ａ、８ｂ、８ｃと接続されている。
【００１９】
キーワード抽出システム２は、キーワード抽出システム２におけるデータの処理を制御するデータ制御部２０を備えている。このデータ制御部２０には、入力されたキーワード及び各キーワードの入力回数をキーワードデータとして記憶するキーワードデータ記憶部２２が接続されている。また、データ制御部２０には、Ｗｅｂサーバ６との間の通信を制御する通信制御部２４及びキーワードデータの中から抽出されたキーワード等を表示する表示部２６が接続されている。
【００２０】
キーワードデータ記憶部２２には、キーワードデータ、即ち、通信制御部２４を介してＷｅｂサーバ６から所定期間毎、例えば、１週間毎に取得されたキーワード及び各キーワードの１週間の入力回数が記憶される。また、取得された各キーワードの入力回数は、それぞれのキーワードに対応させて記憶される。例えば、図２に示すように、７月２８日から８月３日における「花火大会」の入力回数「９０２６０」、「民宿」の入力回数「２５１５１」、「海水浴場」の入力回数「２３３２２」、「ペンション」の入力回数「１５７６２」、「暑中見舞い」の入力回数「１５７４４」等が記憶される。
【００２１】
また、キーワードデータ記憶部２２には、キーワードの入力回数の最低値のデータ、即ち、過去の所定期間、例えば、過去１年間の各週毎の入力回数の中で、最も少ない入力回数を最低値として各キーワードに対応させて記憶されている。例えば、図３に示すように、「ペンション」の最低値「５７０２」、「花火大会」の最低値「５６００」、「民宿」の最低値「５６００」、「海水浴場」の最低値「５６００」、「暑中見舞い」の最低値「５６００」等が記憶されている。
【００２２】
ここで、「花火大会」、「民宿」、「海水浴場」及び「暑中見舞い」の最低値は、みなし値を用いている。即ち、本来、これらのキーワードの最低値は「５６００」以下の値となっているが、過去１年間の各週毎の入力回数の中で、「５６００」以下となる週が存在する場合には、最低値を「５６００」とみなしている。このように最低値をみなすことによって、キーワードを抽出する処理に必要な時間を短縮し、迅速にキーワードを抽出することができる。なお、キーワードを抽出する処理の時間を短縮する必要がない場合には、最低値としてみなし値を用いることなく処理を行うようにしてもよい。
【００２３】
次に、図４のフローチャートを参照して、第１の実施の形態に係るキーワード抽出システム２において行われるキーワードの抽出処理について説明する。
【００２４】
消費者が、消費者システム８ａ、８ｂ、８ｃを用いて、ネットワーク４を介して検索エンジンサイトにアクセスし、検索用のキーワードを入力した場合、この入力された検索用のキーワードがＷｅｂサーバ６に記憶される。即ち、この消費者により入力された検索用のキーワードは、１回入力されると入力回数１回としてカウントされ、キーワードと各キーワードの入力回数がキーワードデータとしてＷｅｂサーバ６に記憶される。
【００２５】
キーワード抽出システム２においては、Ｗｅｂサーバ６に記憶されているキーワードデータを、通信制御部２４を介してデータ制御部２０において取得する（ステップＳ１０）。即ち、Ｗｅｂサーバ６に記憶されているキーワードデータのうち、１週間の入力回数が多い順番に上位１万位までの入力データが、１週間に１回、Ｗｅｂサーバ６からキーワード抽出システム２に対して送信されることによって、キーワードと各キーワードの入力回数がデータ処理部２０に取得される。
【００２６】
次に、ステップＳ１０において取得されたキーワードと各キーワードの入力回数をキーワードデータとしてキーワードデータ記憶部２２に記憶する（ステップＳ１１、図２参照）。
【００２７】
次に、取得されたキーワードの最低値をキーワードデータ記憶部２２から取り出す（ステップＳ１２）。例えば、「ペンション」、「花火大会」、「民宿」等、ステップＳ１０において取得された各キーワードについての最低値をキーワードデータ２２から取り出す。ここで、最低値が記憶されていないキーワードが存在する場合には、そのキーワードの最低値は「０」とする。
【００２８】
次に、ステップＳ１０において取得されたキーワードの入力回数からステップＳ１２において取り出された最低値を減算し、入力回数の差分を算出する（ステップＳ１３）。例えば、キーワードデータ記憶部２２に記憶されている７月２８日から８月３日における「花火大会」の入力回数「９０２６０」から「花火大会」の最低値「５６００」を減算し、差分を算出する。同様にして、「民宿」、「海水浴場」、「ペンション」、「暑中見舞い」等のキーワードの７月２８日から８月３日の入力回数と最低値との差分を算出する。
【００２９】
取得された全てのキーワードについて差分を算出した場合には（ステップＳ１４）、差分が算出されたキーワードの中から差分の値が大きい順にキーワードを抽出する（ステップＳ１５）。一方、差分が算出されていないキーワードが存在する場合には（ステップＳ１４）、ステップＳ１３に戻り入力回数の差分を算出する。
【００３０】
次に、ステップＳ１５において抽出されたキーワードを差分が大きい順にリスト形式で表示部２６に表示する（ステップＳ１６）。即ち、図５に示すように、キーワードの入力期間、キーワード、各キーワードの入力回数、各キーワードの最低値及び差分の値をリスト形式で表示部２６に表示する。なお、７月２８日から８月３日における入力回数では、「暑中見舞い」よりも「ペンション」の方が多くなっているが、「暑中見舞い」よりも「ペンション」の方が最低値の値が大きい。そのため、「暑中見舞い」の差分の値の方が「ペンション」の差分の値よりも大きくなっており、図５に示すように、「ペンション」よりも上に「暑中見舞い」が表示される。
【００３１】
この第１の実施の形態に係るキーワード抽出システムによれば、新たな１週間における入力回数と過去の１週間における入力回数の最低値との差分を算出し、算出された差分の値が大きい順にキーワードを抽出し、抽出されたキーワードを表示している。即ち、新たな１週間において消費者の関心が高まったキーワードのうち、消費者の関心度合いが高いキーワードから順に抽出して表示している。従って、商品等の販売開始時期、販売期間、仕入れ時期や仕入れ量等を的確に見極める等、的確な販売戦略を立案するために適切なマーケティング支援のための情報を得ることができる。
【００３２】
また、消費者の関心度合いが高いキーワードが表示されているため、表示されているキーワードの中に、特定のキーワードが含まれているか否かにより特定の商品等について消費者の関心が高まっているか否かの判断資料とすることができる。例えば、商品等のプロモーションに関係するキーワードが含まれているか否かにより、消費者のプロモーションに対する効果を推測することができる。その結果、プロモーション期間の延長やプロモーション展開戦略の修正等を行うために有用な判断資料とすることができる。
【００３３】
また、第１の実施の形態に係るキーワード抽出システムによれば、過去の１週間における最低値が記憶されていないキーワードについては、入力回数の最低値を「０」として新たな１週間における入力回数と最低値との差分を算出している。従って、新たに消費者の高い関心を集め始めたキーワードを的確に抽出することができ、消費者の新たな関心や新たな流行を察知し、的確な販売戦略を立案するための有用なマーケティング支援のための情報を得ることができる。
【００３４】
なお、上述の第１の実施の形態に係るキーワード抽出システムにおいては、抽出されたキーワード、キーワードの１週間の入力回数、最低値、差分のデータを表示しているが、所定期間内（例えば、５週間）の各週において抽出されたキーワードをリスト形式で表示するようにしてもよい。例えば、図６に示すように、７月２８日から８月３日の１週間における入力回数と最低値の差分の値が大きい順に抽出されたキーワード、同様にして、８月４日から８月１０日、８月１１日から８月１７日、８月１８日から８月２４日、８月２４日から８月３１日の各１週間において、差分の値が大きい順に抽出されたキーワードを表示するようにしてもよい。この場合には、例えば、７月２８日から８月３１日までの期間において消費者の関心がどのように推移しているか等を分析することができる。従って、消費者の関心の推移に合致した適切な販売戦略を立案するために有用なマーケティング支援のための情報を得ることができる。
【００３５】
また、上述の第１の実施の形態に係るキーワード抽出システムにおいては、新たな１週間の入力回数と過去の入力回数の最低値との差分の値が大きい順にキーワードを抽出して表示しているが、１年間における１週間毎のキーワードの入力回数の最低値と最高値との差分を算出し、同一の週に最高値を記録しているキーワードの中から差分の値が大きいキーワードを順に抽出して表示してもよい。即ち、まず、例えば、１年間の各週における入力回数のデータを蓄積し、最も多い入力回数（最高値）から最も少ない入力回数（最低値）を減算し、最高値と最低値との差分を算出する。次に、同一の週に最高値を記録しているキーワード、例えば、８月４日から８月１０日の週に最高値を記録しているキーワードを全て抽出する。次に、抽出されたキーワードの中から差分の値が大きい順にキーワードを抽出し、抽出したキーワードを、例えば、８月４日から８月１０日の週において最も関心が高まったキーワードとして表示するようにしてもよい。この場合には、１年のうちどの時期にどのようなキーワードに対して消費者の関心が強まっているかを認識することができ、消費者の関心の強まりに対応させた適切な販売計画等を立案するために有用な情報を得ることができる。例えば、「暑中見舞い」のように明らかに季節性の高いキーワードの場合には、次の年も同様の傾向で入力回数が推移すると予測することができる。そのため、消費者の関心が強まる時期に合わせて、暑中見舞いの作成に用いる商品の販売開始時期を決定する等、適切な販売計画を立案するために有用な情報を得ることができる。
【００３６】
次に、図７のフローチャートを参照して、第２の実施の形態に係るキーワード抽出システムにおいて行われるキーワードの抽出処理について説明する。
【００３７】
なお、第２の実施の形態に係るキーワード抽出システムは、第１の実施の形態に係るキーワード抽出システム２と同様の構成であるため説明を省略する。また、第１の実施の形態に係るキーワード抽出システム２と同様の符号を用いて以下の説明を行う。
【００３８】
また、第２の実施の形態に係るキーワード抽出システム２においては、キーワードデータ記憶部２２に図２に示すキーワードデータ及び図３に示す最低値に加えて、更に、過去に算出されたキーワードの入力回数の差分を示すデータ、例えば図５に示すデータが記憶されている。
【００３９】
まず、Ｗｅｂサーバ６から通信制御部２４を介してキーワードデータを取得し（ステップＳ２０）、取得したキーワードデータをキーワードデータ記憶部２２に記憶する（ステップＳ２１）。次に、取得された各キーワードの入力回数の最低値をキーワードデータ記憶部２２から取り出し（ステップＳ２２）、新たな１週間の入力回数と最低値との差分を算出する（ステップＳ２３）。
【００４０】
ステップＳ２０において取得されたキーワードデータに含まれている全てのキーワードについて差分を算出した場合には（ステップＳ２４）、差分の値が大きい順にキーワードを抽出する（ステップＳ２５）。なお、上述のステップＳ２０〜ステップＳ２５の処理は、図４のフローチャートのステップＳ１０〜ステップＳ１５と同様の処理であるため、詳細な説明は省略する。
【００４１】
次に、ステップＳ２０においてキーワードデータを取得した週と同一の過去の週において抽出されたキーワードをキーワードデータ記憶部２２から取り出す（ステップＳ２６）。例えば、２００２年８月４日から８月１０日の週（２００２年１月１日が属する週を第１週とした場合の第３４週）における入力回数と最低値との差分の値が大きい順にキーワードが抽出された場合には、２００１年の第３４週において抽出されたキーワードをキーワードデータ記憶部２２から取り出す。
【００４２】
次に、ステップＳ２５において抽出されたキーワードとステップＳ２６において取り出されたキーワードとを比較する（ステップＳ２７）。例えば、２００２年の第３４週において抽出されたキーワードと２００１年の第３４週において抽出されたキーワードとを比較する。
【００４３】
なお、同一の過去の週において抽出されたキーワードの他に、キーワードが抽出された週と近しい過去の週において抽出されたキーワードを抽出し、比較するようにしてもよい。例えば、２００１年の第３３週、或いは、第３５週に抽出されたキーワードをキーワードデータ記憶部２２から取り出し、２００２年の３４週に抽出されたキーワードと、２００１年の第３３週、或いは、第３５週において抽出されたキーワードとを比較するようにしてもよい。
【００４４】
次に、ステップＳ２５において抽出されたキーワードとステップＳ２６において取り出されたキーワードとの比較結果を表示部２６に表示する（ステップＳ２８）。例えば、２００２年の第３４週において抽出されたキーワードが、「地図」、「ホテル」、「高速道路」、「軽井沢」、「住基ネット」等であり、２００１年の第３４週において抽出されたキーワードが「地図」、「ホテル」、「高速道路」、「北海道」、「軽井沢」等であるとする。この場合、２００２年及び２００１年の第３４週の双方に含まれているキーワードは「地図」、「ホテル」、「軽井沢」、「高速道路」、２００２年のみに含まれているキワードは「住基ネット」、２００１年のみに含まれているキーワードは「北海道」となっている等の比較結果を表示部２６に表示する。
【００４５】
この第２の実施の形態に係るキーワード抽出システムによれば、新たな１週間の入力回数と過去の１週間の入力回数の最低値との差分が大きくなっている順にキーワードを抽出した場合に、抽出されたキーワードと過去の同一の週において抽出されたキーワードとを比較し、比較結果を表示している。従って、例えば、２００２年及び２００１年の双方の年において、第３４週に抽出されているキーワードは、季節性の高いキーワードであることが解る。
【００４６】
例えば、「地図」、「ホテル」、「高速道路」のキーワードは、消費者が夏休みを控え、旅行に行くための準備を行っているために多く入力されていると推測することができる。また、「軽井沢」は、夏季の旅行先として常に人気が高い地域であることと推測することができる。そのため、これらの季節性を有するキーワードは翌年も同様に入力回数が推移すると予測され、入力回数の推移に対応させて宣伝広告を掲載する等の適切な計画を立案するために有用な情報を得ることができる。
【００４７】
また、例えば、２００２年のみに抽出されている「住基ネット」は、２００２年に新たに稼動が開始されたネットワークの略称であることから、季節性のキーワードではなく、一時的に消費者の関心が高まったキーワードであると推測することができる。また、例えば、２００１年のみに抽出されている「北海道」は、夏休みの旅行先としての消費者の関心度合いが減少していると推測することができる。このように、比較結果から、抽出されたキーワードが、季節性のキーワードか新たな流行を示すキーワードかを推測すると共に、消費者の関心が薄れたキーワードを推測でき、消費者の関心の推移を的確に把握することができる。従って、例えば、新たな流行を示すキーワードである場合には、新たな流行に対応した適切な販売計画を立案するための有用な情報を得ることができる。また、消費者の関心が薄れているキーワードである場合には、商品の入れ替えを行ったり、又は、再度消費者の関心を集めるべく広告の回数を増やす等、適切なマーケティングを行うために有用な情報を得ることができる。
【００４８】
また、例えば、所定期間において抽出されたキーワードを多年にわたって蓄積することによって、より正確に抽出されたキーワードがどのようなキーワードであるかを判断することができる。例えば、抽出された最新のキーワードと、蓄積されている複数年の過去のキーワードとを比較することにより、新たに抽出されたキーワードが季節性のキーワードか、又は、一時的に消費者の関心が高まったキーワードかをより正確に判断し、適切なマーケティングを行うために有用な情報を得ることができる。
【００４９】
なお、上述の実施の形態に係るキーワード抽出システムにおいては、１週間におけるキーワードの入力回数を算出しているが、キーワードの入力回数を算出する期間は１週間に限られず、任意の期間を設定してもよい。例えば、数分毎、１時間毎、数時間毎、１日毎、２週間毎又は１月毎のように、任意に設定された期間においてキーワードの入力回数を算出するようにしてもよい。この場合には、上述の第２の実施の形態に係るキーワード抽出システムにおいて、任意に設定された期間において抽出されたキーワードと過去の同一の期間において抽出されたキーワードとを比較することができる。
【００５０】
また、上述の実施の形態に係るキーワード抽出システムにおいては、Ｗｅｂサーバ６からキーワード及びキーワードの１週間の入力回数を取得しているが、１日毎にキーワード及びキーワードの入力回数を取得するようにしてもよい。この場合には、キーワード抽出システムにおいて、１週間分のキーワードの入力回数を取得した後に１週間のキーワードの入力回数の合計を算出するようにしてもよい。
【００５１】
また、上述の実施の形態に係るキーワード抽出システムにおいては、キーワードデータ記憶部に記憶されている入力回数の過去の最低値を用いて差分を算出しているが、最低値の更新を行うようにしてもよい。即ち、新たな１週間における入力回数と最低値との差分がマイナスの値となった場合には、新たな１週間における入力回数を最低値とし、最低値の更新を行うようにしてもよい。
【００５２】
【発明の効果】
この発明によれば、キーワードの最新の所定期間（例えば、１週間）の入力回数と過去の所定期間における入力回数の最低値との差分を算出し、取得されたキーワードの中から差分の値が大きい順にキーワードを抽出し、抽出されたキーワードを出力している。従って、消費者が当該週に関心を抱いている商品等を推測することができ、商品等の販売開始時期、販売期間、仕入れ時期や仕入れ量等を的確に見極める等、的確な販売戦略を立案するために有用なマーケティング支援のための情報を得ることができる。
【００５３】
また、最新の所定期間（例えば、１週間）において抽出されたキーワードと過去の所定期間（例えば、１年前の同一の週）において抽出されたキーワードとを比較し、比較結果を出力している。従って、抽出されたキーワードが季節性の高いキーワードか否か、新たな流行を示すキーワードであるか否かを容易に判断することができる。そのため、例えば、季節性が高いキーワードである場合には、そのキーワードは翌年も同様に入力回数が推移すると予測されることから、消費者の関心の高まりに対応させた適切な販売計画を立案するために有用な情報を得ることができる。また、例えば、新たな流行を示すキーワードである場合には、新たな流行に対応した適切な販売計画を立案するための有用な情報を得ることができる。
【図面の簡単な説明】
【図１】この発明の第１の実施の形態に係るキーワード抽出システムを含むシステム全体のブロック構成図である。
【図２】この発明の第１の実施の形態に係るキーワードデータの一例を示す図である。
【図３】この発明の第１の実施の形態に係るキーワードの最低値の一例を示す図である。
【図４】この発明の第１の実施の形態に係るキーワードの抽出処理を説明するためのフローチャートである。
【図５】この発明の第１の実施の形態に係る抽出されたキーワードの表示の一例を示す図である。
【図６】この発明の第１の実施の形態に係る抽出されたキーワードの表示の別の一例を示す図である。
【図７】この発明の第２の実施の形態に係るキーワードの抽出処理を説明するためのフローチャートである。
【符号の説明】
２…キーワード抽出システム、４…ネットワーク、６…Ｗｅｂサーバ、８ａ、８ｂ、８ｃ…消費者システム、２０…データ制御部、２２…キーワードデータ記憶部、２４…通信制御部、２６…表示部。
【図１】
2004185220.tif 000003
【図２】
2004185220.tif 000004
【図３】
2004185220.tif 000005
【図４】
2004185220.tif 000006
【図５】
2004185220.tif 000007
【図６】
2004185220.tif 000008
【図７】
2004185220.tif 000009